(57)【要約】【課題】本発明は枕元眼鏡ケースを開示した。【解決手段】方形箱主体と、吸盤と、円柱台とを含み、前記方形箱主体が前記吸盤の頂端に固定され、前記方形箱主体が矩形であり、前記円柱台が円柱形であり、前記吸盤が机の上に吸着でき、前記方形箱主体  の頂端と前記円柱台とが固定され、前記方形箱主体  の中には半円形チャンバが設置され、前記半円形チャンバの中には眼鏡を入れることができる貯蔵機構が設置され、前記円柱台の頂部端面には円形溝が設置され、前記円形溝の中には照明機構が設置され、前記円形溝の左右両側の前記円柱台の中には伝動チャンバが設置され、前記伝動チャンバの片側の前記円柱台の中にはいずれも動力チャンバが設置され、本発明の眼鏡ケースは夜に使用される時、照明機構を開けて光度を増加することができ、しかも本発明の眼鏡ケースは眼鏡を収納でき、夜に眼鏡を探す時に眼鏡を落として壊すことを防止する。【選択図】図１
2020182784.tif 000002
【特許請求の範囲】
【請求項１】
正面視で、方形箱主体と、吸盤と、円柱台とを含み、前記方形箱主体が前記吸盤の頂端に固定され、前記方形箱主体が矩形であり、前記円柱台が円柱形であり、前記吸盤が机の上に吸着でき、前記方形箱主体  の頂端と前記円柱台とが固定され、前記方形箱主体  の中には半円形チャンバが設置され、前記半円形チャンバの中には眼鏡を入れることができる貯蔵機構が設置され、前記円柱台の頂部端面には円形溝が設置され、前記円形溝の中には照明機構が設置され、前記円形溝の左右両側の前記円柱台の中には伝動チャンバが設置され、前記伝動チャンバの片側の前記円柱台の中にはいずれも動力チャンバが設置され、前記動力チャンバの中には前記照明機構を回転させることができる動力機構が設置され、前記貯蔵機構は前記半円形チャンバの中に回転できるように設置された収納ケースを含み、前記収納ケースの前側は開口設計であり、前記収納ケースの左右両側の端面にはいずれも反転軸が固定的に設置され、前記半円形チャンバの左側の前記方形箱主体の中には第一空きチャンバが設置され、左側の前記反転軸が前記第一空きチャンバの中に伸びており、且つ左側の前記反転軸の外周には捻りバネが固定的に設置され、前記捻りバネが前記第一空きチャンバの左側内壁と固定的に連結され、前記半円形チャンバの右側の前記方形箱主体  の中には第二空きチャンバが設置され、右側に位置している前記反転軸が前記第二空きチャンバの中に伸びており、且つ右側に位置している前記反転軸の外周には長スライド板がスプラインにより連結され、前記長スライド板には二組の凹溝が設置され、前記第二空きチャンバの底壁には矩形溝が設置され、前記矩形溝の中には棒状体がスライドできるように設置され、前記棒状体の底端と前記矩形溝の底壁との間にはバネが装着され、前記棒状体が前記凹溝の中に挿入されることができ、これにより前記回転ブロックが回転できなく、前記第二空きチャンバの右壁の中にはすべり軸受がスライドできるように設置され、前記すべり軸受の左端と前記回転ブロックとが固定され、前記すべり軸受の右端にはつまみが固定的に設置されたことを特徴とする枕元眼鏡ケース。
【請求項２】
前記収納ケースの内壁にはスポンジ層が固定的に設置され、前記収納ケースの中には固定ブロックが固定的に設置され、前記固定ブロックの頂部端面には長スライド溝が設置され、前記長スライド溝の中には長スライド板がスライドできるように設置され、前記長スライド板の片側端面には引っ張り力バネが固定的に設置され、前記長スライド板の頂端には挟持ブロックが固定的に設置され、前記挟持ブロックの底端と前記固定ブロックの頂端にはいずれも同じ短スライド溝が設置され、前記短スライド溝の中にはいずれもスライダがスライドできるように設置され、前記スライダのうち互いに近接している側の端面にはいずれもゴム板が固定的に設置され、前記ゴム板が眼鏡をきつく挟むことができ、前記スライダのもう一端と前記短スライド溝の片側内壁との間には小バネが装着されたことを特徴とする請求項１に記載の枕元眼鏡ケース。
【請求項３】
前記照明機構は前記円形溝の中に固定的に設置されたガラスランプシェードを含み、前記ガラスランプシェードの頂部が前記円形溝の外部に露出し、前記ガラスランプシェードの内壁には均一に分布している多色ガラスが固定的に設置され、前記多色ガラスが様々な色により構成され、前記円形溝の中にはランプベースが回転できるように設置され、前記ランプベースの頂端には二組の照明灯が固定的に設置され、前記照明灯が傾斜して設置され、前記ランプベースの外周には二組の支持ロッドが固定的に設置され、前記支持ロッドが前記伝動チャンバの中に伸びており、前記伝動チャンバの中にはリングラックが回転できるように設置され、前記リングラックの内壁が前記支持ロッドの一端と固定されたことを特徴とする請求項１に記載の枕元眼鏡ケース。
【請求項４】
前記動力機構は二組の前記動力チャンバの間に回転できるように設置された動力軸を含み、前記動力軸の片側末端がモータと固定的に連結され、前記モータが右側の前記動力チャンバの端壁の中に固定的に嵌められ、前記動力チャンバの中に位置している前記動力軸の外周にはいずれも動力プーリが固定的に設置され、前記伝動チャンバと前記動力チャンバとの間にはいずれも伝動軸が回転できるように設置され、前記伝動軸の片側末端には前記リングラックの底端と噛み合っているギヤが固定的に設置され、前記伝動軸のもう一端には前記動力チャンバの中に位置している従動プーリが固定的に設置され、前記従動プーリと前記動力プーリとの間はベルトにより連結されたことを特徴とする請求項１に記載の枕元眼鏡ケース。
【発明の詳細な説明】
【技術分野】
【０００１】
本発明は眼鏡ケース技術分野を取り上げて、具体的には枕元眼鏡ケースである。
【背景技術】
【０００２】
現在、人が就寝の時、一般的に眼鏡を外し、無造作にナイトテーブルに置き、しかし、夜に眼鏡を使用する時、暗いので、眼鏡を探すのが面倒くさく、時々眼鏡を落として壊してしまうこともある。  
【先行技術文献】
【特許文献】
【０００３】
【特許文献１】中国特許出願公開第１０７６９２４５２号明細書
【発明の概要】
【発明が解決しようとする課題】
【０００４】
本発明は枕元眼鏡ケースを提供し、従来技術における上記欠点を解消することを目的とする。
【課題を解決するための手段】
【０００５】
本発明の枕元眼鏡ケースは、方形箱主体と、吸盤と、円柱台とを含み、前記方形箱主体が前記吸盤の頂端に固定され、前記方形箱主体が矩形であり、前記円柱台が円柱形であり、前記吸盤が机の上に吸着でき、前記方形箱主体  の頂端と前記円柱台とが固定され、前記方形箱主体  の中には半円形チャンバが設置され、前記半円形チャンバの中には眼鏡を入れることができる貯蔵機構が設置され、前記円柱台の頂部端面には円形溝が設置され、前記円形溝の中には照明機構が設置され、前記円形溝の左右両側の前記円柱台の中には伝動チャンバが設置され、前記伝動チャンバの片側の前記円柱台の中にはいずれも動力チャンバが設置され、前記動力チャンバの中には前記照明機構を回転させることができる動力機構が設置され、前記貯蔵機構は前記半円形チャンバの中に回転できるように設置された収納ケースを含み、前記収納ケースの前側は開口設計であり、前記収納ケースの左右両側の端面にはいずれも反転軸が固定的に設置され、前記半円形チャンバの左側の前記方形箱主体の中には第一空きチャンバが設置され、左側の前記反転軸が前記第一空きチャンバの中に伸びており、且つ左側の前記反転軸の外周には捻りバネが固定的に設置され、前記捻りバネが前記第一空きチャンバの左側内壁と固定的に連結され、前記半円形チャンバの右側の前記方形箱主体  の中には第二空きチャンバが設置され、右側に位置している前記反転軸が前記第二空きチャンバの中に伸びており、且つ右側に位置している前記反転軸の外周には長スライド板がスプラインにより連結され、前記長スライド板には二組の凹溝が設置され、前記第二空きチャンバの底壁には矩形溝が設置され、前記矩形溝の中には棒状体がスライドできるように設置され、前記棒状体の底端と前記矩形溝の底壁との間にはバネが装着され、前記棒状体が前記凹溝の中に挿入されることができ、これにより前記回転ブロックが回転できなく、前記第二空きチャンバの右壁の中にはすべり軸受がスライドできるように設置され、前記すべり軸受の左端と前記回転ブロックとが固定され、前記すべり軸受の右端にはつまみが固定的に設置された。
【０００６】
更の技術プランとしては、前記収納ケースの内壁にはスポンジ層が固定的に設置され、前記収納ケースの中には固定ブロックが固定的に設置され、前記固定ブロックの頂部端面には長スライド溝が設置され、前記長スライド溝の中には長スライド板がスライドできるように設置され、前記長スライド板の片側端面には引っ張り力バネが固定的に設置され、前記長スライド板の頂端には挟持ブロックが固定的に設置され、前記挟持ブロックの底端と前記固定ブロックの頂端にはいずれも同じ短スライド溝が設置され、前記短スライド溝の中にはいずれもスライダがスライドできるように設置され、前記スライダのうち互いに近接している側の端面にはいずれもゴム板が固定的に設置され、前記ゴム板が眼鏡をきつく挟むことができ、前記スライダのもう一端と前記短スライド溝の片側内壁との間には小バネが装着された。
【０００７】
更の技術プランとしては、前記照明機構は前記円形溝の中に固定的に設置されたガラスランプシェードを含み、前記ガラスランプシェードの頂部が前記円形溝の外部に露出し、前記ガラスランプシェードの内壁には均一に分布している多色ガラスが固定的に設置され、前記多色ガラスが様々な色により構成され、前記円形溝の中にはランプベースが回転できるように設置され、前記ランプベースの頂端には二組の照明灯が固定的に設置され、前記照明灯が傾斜して設置され、前記ランプベースの外周には二組の支持ロッドが固定的に設置され、前記支持ロッドが前記伝動チャンバの中に伸びており、前記伝動チャンバの中にはリングラックが回転できるように設置され、前記リングラックの内壁が前記支持ロッドの一端と固定された。
【０００８】
更の技術プランとしては、前記動力機構は二組の前記動力チャンバの間に回転できるように設置された動力軸を含み、前記動力軸の片側末端がモータと固定的に連結され、前記モータが右側の前記動力チャンバの端壁の中に固定的に嵌められ、前記動力チャンバの中に位置している前記動力軸の外周にはいずれも動力プーリが固定的に設置され、前記伝動チャンバと前記動力チャンバとの間にはいずれも伝動軸が回転できるように設置され、前記伝動軸の片側末端には前記リングラックの底端と噛み合っているギヤが固定的に設置され、前記伝動軸のもう一端には前記動力チャンバの中に位置している従動プーリが固定的に設置され、前記従動プーリと前記動力プーリとの間はベルトにより連結された。
【発明の効果】
【０００９】
本発明の有益効果は：本発明の眼鏡ケースを枕元に置いて使用することができ、夜に使用する時、照明機構を開けて光度を増加することができ、しかも本発明の眼鏡ケースは眼鏡を収納でき、夜に眼鏡を探す時に眼鏡を落として壊すことを防止する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の枕元眼鏡ケースの内部全体構成模式図
【図２】図２は本発明の中の収納ケースの側面断面図
【図３】図３は本発明の中のつまみの部分拡大模式図
【図４】図４は本発明の図１の中のＡの部分拡大模式図
【発明を実施するための形態】
【００１２】
図１〜４を参照し、本発明の実施例の枕元眼鏡ケースは、方形箱主体１０と、吸盤１１と、円柱台２０とを含み、前記方形箱主体１０が前記吸盤１１の頂端に固定され、前記方形箱主体１０が矩形であり、前記円柱台２０が円柱形であり、前記吸盤１１が机の上に吸着でき、前記方形箱主体１０  の頂端と前記円柱台２０とが固定され、前記方形箱主体１０  の中には半円形チャンバ１５が設置され、前記半円形チャンバ１５の中には眼鏡を入れることができる貯蔵機構７１が設置され、前記円柱台２０の頂部端面には円形溝２４が設置され、前記円形溝２４の中には照明機構７２が設置され、前記円形溝２４の左右両側の前記円柱台２０の中には伝動チャンバ４２が設置され、前記伝動チャンバ４２の片側の前記円柱台２０の中にはいずれも動力チャンバ４８が設置され、前記動力チャンバ４８の中には前記照明機構７２を回転させることができる動力機構７３が設置され、前記貯蔵機構７１は前記半円形チャンバ１５の中に回転できるように設置された収納ケース１６を含み、前記収納ケース１６の前側は開口設計であり、前記収納ケース１６の左右両側の端面にはいずれも反転軸１４が固定的に設置され、前記半円形チャンバ１５の左側の前記方形箱主体１０の中には第一空きチャンバ１２が設置され、左側の前記反転軸１４が前記第一空きチャンバ１２の中に伸びており、且つ左側の前記反転軸１４の外周には捻りバネ１３が固定的に設置され、前記捻りバネ１３が前記第一空きチャンバ１２の左側内壁と固定的に連結され、前記半円形チャンバ１５の右側の前記方形箱主体１０  の中には第二空きチャンバ１９が設置され、右側に位置している前記反転軸１４が前記第二空きチャンバ１９の中に伸びており、且つ右側に位置している前記反転軸１４の外周には長スライド板２７がスプラインにより連結され、前記長スライド板２７には二組の凹溝３８が設置され、前記第二空きチャンバ１９の底壁には矩形溝４１が設置され、前記矩形溝４１の中には棒状体３９がスライドできるように設置され、前記棒状体３９の底端と前記矩形溝４１の底壁との間にはバネ４０が装着され、前記棒状体３９が前記凹溝３８の中に挿入されることができ、これにより前記回転ブロック３７が回転できなく、前記第二空きチャンバ１９の右壁の中にはすべり軸受３６がスライドできるように設置され、前記すべり軸受３６の左端と前記回転ブロック３７とが固定され、前記すべり軸受３６の右端にはつまみ３５が固定的に設置され、前記つまみ３５を右方へ引き動かすことにより、前記すべり軸受３６が右方へスライドし、更に前記棒状体３９を前記凹溝３８から離脱させ、前記つまみ３５を回転させ、前記収納ケース１６を回転させ、これにより前記収納ケース１６の開口を前方又は後方に向かせることができる。
【００１３】
前記収納ケース１６の内壁にはスポンジ層２５が固定的に設置され、前記収納ケース１６の中には固定ブロック３０が固定的に設置され、前記固定ブロック３０の頂部端面には長スライド溝２８が設置され、前記長スライド溝２８の中には長スライド板２７がスライドできるように設置され、前記長スライド板２７の片側端面には引っ張り力バネ２９が固定的に設置され、前記長スライド板２７の頂端には挟持ブロック２６が固定的に設置され、前記挟持ブロック２６の底端と前記固定ブロック３０の頂端にはいずれも同じ短スライド溝３２が設置され、前記短スライド溝３２の中にはいずれもスライダ３１がスライドできるように設置され、前記スライダ３１のうち互いに近接している側の端面にはいずれもゴム板３４が固定的に設置され、前記ゴム板３４が眼鏡１７をきつく挟むことができ、前記スライダ３１のもう一端と前記短スライド溝３２の片側内壁との間には小バネ３３が装着され、前記眼鏡１７を二組の前記ゴム板３４の間に置き、前記引っ張り力バネ２９の引っ張り力の作用のもとで、前記ゴム板３４が前記眼鏡１７をきつく挟む。
【００１４】
前記照明機構７２は前記円形溝２４の中に固定的に設置されたガラスランプシェード２１を含み、前記ガラスランプシェード２１の頂部が前記円形溝２４の外部に露出し、前記ガラスランプシェード２１の内壁には均一に分布している多色ガラス２２が固定的に設置され、前記多色ガラス２２が様々な色により構成され、前記円形溝２４の中にはランプベース２３が回転できるように設置され、前記ランプベース２３の頂端には二組の照明灯５５が固定的に設置され、前記照明灯５５が傾斜して設置され、前記ランプベース２３の外周には二組の支持ロッド４４が固定的に設置され、前記支持ロッド４４が前記伝動チャンバ４２の中に伸びており、前記伝動チャンバ４２の中にはリングラック４３が回転できるように設置され、前記リングラック４３の内壁が前記支持ロッド４４の一端と固定され、前記リングラック４３の回転により、前記ランプベース２３を連動させて回転させ、更に前記照明灯５５を回転させ、これにより前記照明灯５５が発する光線が前記多色ガラス２２に射し、多色ガラス２２をキラキラさせる。
【００１５】
前記動力機構７３は二組の前記動力チャンバ４８の間に回転できるように設置された動力軸５２を含み、前記動力軸５２の片側末端がモータ５０と固定的に連結され、前記モータ５０が右側の前記動力チャンバ４８の端壁の中に固定的に嵌められ、前記動力チャンバ４８の中に位置している前記動力軸５２の外周にはいずれも動力プーリ５１が固定的に設置され、前記伝動チャンバ４２と前記動力チャンバ４８との間にはいずれも伝動軸４６が回転できるように設置され、前記伝動軸４６の片側末端には前記リングラック４３の底端と噛み合っているギヤ４５が固定的に設置され、前記伝動軸４６のもう一端には前記動力チャンバ４８の中に位置している従動プーリ４７が固定的に設置され、前記従動プーリ４７と前記動力プーリ５１との間はベルト４９により連結され、前記モータ５０を制御して作動させることにより、更にこれにより前記動力軸５２が前記動力プーリ５１を連動させて回転させ、前記伝動軸４６を回転させ、これにより前記リングラック４３が前記照明機構７２を連動させて回転させる。
【００１６】
使用する時、手でつまみ３５を右方へ引き動かし、すべり軸受３６を右方へスライドさせ、更に棒状体３９を凹溝３８から離脱させ、つまみ３５を回転させ、収納ケース１６を回転させ、これにより収納ケース１６の開口を前方に向かせることができ、そしてつまみ３５を推して戻し、棒状体３９をもう一つの凹溝３８の中に挿入し、更に回転ブロック３７を戻れないようにし、手で挟持ブロック２６を上方へ推し動かし、眼鏡１７を二組のゴム板３４の間に置き、引っ張り力バネ２９の引っ張り力の作用のもとで、ゴム板３４が眼鏡１７をきつく挟み、そしてつまみ３５を引き出し、凹溝３８を棒状体３９から離脱させ、更に収納ケース１６を捻りバネ１３の作用のもとで回転させ、これにより収納ケース１６の開口が初期状態の時の後方に向く状態に戻り、夜に使用する時、ベッドライト又は装飾用のライトとして使われることができ、モータ５０を制御して作動させることにより、更にこれにより動力軸５２が動力プーリ５１を連動させて回転させ、伝動軸４６を回転させ、これによりリングラック４３が照明灯５５を連動させて回転させ、これにより照明灯５５が発する光がガラスランプシェード２１を通り抜けて射し、照明作用を果たす。
【００１７】
本発明の有益効果は：本発明の眼鏡ケースを枕元に置いて使用することができ、夜に使用する時、照明機構を開けて光度を増加することができ、しかも本発明の眼鏡ケースは眼鏡を収納でき、夜に眼鏡を探す時に眼鏡を落として壊すことを防止する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182784.tif 000003
【図２】
2020182784.tif 000004
【図３】
2020182784.tif 000005
【図４】
2020182784.tif 000006
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
正面視で、方形箱主体と、吸盤と、円柱台とを含み、前記方形箱主体が前記吸盤の頂端に固定され、前記方形箱主体が矩形であり、前記円柱台が円柱形であり、前記吸盤が机の上に吸着でき、前記方形箱主体  の頂端と前記円柱台とが固定され、前記方形箱主体  の中には半円形チャンバが設置され、前記半円形チャンバの中には眼鏡を入れることができる貯蔵機構が設置され、前記円柱台の頂部端面には円形溝が設置され、前記円形溝の中には照明機構が設置され、前記円形溝の左右両側の前記円柱台の中には伝動チャンバが設置され、前記伝動チャンバの片側の前記円柱台の中にはいずれも動力チャンバが設置され、前記動力チャンバの中には前記照明機構を回転させることができる動力機構が設置され、前記貯蔵機構は前記半円形チャンバの中に回転できるように設置された収納ケースを含み、前記収納ケースの前側には開口があり、前記収納ケースの左右両側の端面にはいずれも反転軸が固定的に設置され、前記半円形チャンバの左側の前記方形箱主体の中には第一空きチャンバが設置され、左側の前記反転軸が前記第一空きチャンバの中に伸びており、且つ左側の前記反転軸の外周には捻りバネが固定的に設置され、前記捻りバネが前記第一空きチャンバの左側内壁と固定的に連結され、前記半円形チャンバの右側の前記方形箱主体の中には第二空きチャンバが設置され、右側に位置している前記反転軸が前記第二空きチャンバの中に伸びており、且つ右側に位置している前記反転軸の外周には回転ブロックがスライドできるように連結され、前記回転ブロックには二組の凹溝が形成され、前記第二空きチャンバの底壁には矩形溝が設置され、前記矩形溝の中には棒状体がスライドできるように設置され、前記棒状体の底端と前記矩形溝の底壁との間にはバネが装着され、前記棒状体が前記凹溝の中に挿入されることができ、これにより前記回転ブロックが回転できなく、前記第二空きチャンバの右壁の中にはすべり軸受がスライドできるように設置され、前記すべり軸受の左端と前記回転ブロックとが固定され、前記すべり軸受の右端にはつまみが固定的に設置されたことを特徴とする枕元眼鏡ケース。
【請求項２】
前記収納ケースの内壁にはスポンジ層が固定的に設置され、前記収納ケースの中には固定ブロックが固定的に設置され、前記固定ブロックの頂部端面には長スライド溝が設置され、前記長スライド溝の中には長スライド板がスライドできるように設置され、前記長スライド板の片側端面には引っ張り力バネが固定的に設置され、前記長スライド板の頂端には挟持ブロックが固定的に設置され、前記挟持ブロックの底端と前記固定ブロックの頂端にはいずれも同じ短スライド溝が設置され、前記短スライド溝の中にはいずれもスライダがスライドできるように設置され、前記スライダのうち互いに近接している側の端面にはいずれもゴム板が固定的に設置され、前記ゴム板が眼鏡をきつく挟むことができ、前記スライダのもう一端と前記短スライド溝の片側内壁との間には小バネが装着されたことを特徴とする請求項１に記載の枕元眼鏡ケース。
【請求項３】
前記照明機構は前記円形溝の中に固定的に設置されたガラスランプシェードを含み、前記ガラスランプシェードの頂部が前記円形溝の外部に露出し、前記ガラスランプシェードの内壁には均一に分布している多色ガラスが固定的に設置され、前記多色ガラスが様々な色により構成され、前記円形溝の中にはランプベースが回転できるように設置され、前記ランプベースの頂端には二組の照明灯が固定的に設置され、前記照明灯が傾斜して設置され、前記ランプベースの外周には二組の支持ロッドが固定的に設置され、前記支持ロッドが前記伝動チャンバの中に伸びており、前記伝動チャンバの中にはリングラックが回転できるように設置され、前記リングラックの内壁が前記支持ロッドの一端と固定されたことを特徴とする請求項１に記載の枕元眼鏡ケース。
【請求項４】
前記動力機構は二組の前記動力チャンバの間に回転できるように設置された動力軸を含み、前記動力軸の片側末端がモータと固定的に連結され、前記モータが右側の前記動力チャンバの端壁の中に固定的に嵌められ、前記動力チャンバの中に位置している前記動力軸の外周にはいずれも動力プーリが固定的に設置され、前記伝動チャンバと前記動力チャンバとの間にはいずれも伝動軸が回転できるように設置され、前記伝動軸の片側末端には前記リングラックの底端と噛み合っているギヤが固定的に設置され、前記伝動軸のもう一端には前記動力チャンバの中に位置している従動プーリが固定的に設置され、前記従動プーリと前記動力プーリとの間はベルトにより連結されたことを特徴とする請求項１に記載の枕元眼鏡ケース。
【手続補正２】
【補正対象書類名】明細書
【補正対象項目名】全文
【補正方法】変更
【補正の内容】
【発明の詳細な説明】
【技術分野】
【０００１】
本発明は眼鏡ケース技術分野を取り上げて、具体的には枕元眼鏡ケースである。
【背景技術】
【０００２】
現在、人が就寝の時、一般的に眼鏡を外し、無造作にナイトテーブルに置き、しかし、夜に眼鏡を使用する時、暗いので、眼鏡を探すのが面倒くさく、時々眼鏡を落として壊してしまうこともある。
【先行技術文献】
【特許文献】
【０００３】
【特許文献１】中国特許出願公開第１０７６９２４５２号明細書
【発明の概要】
【発明が解決しようとする課題】
【０００４】
本発明は枕元眼鏡ケースを提供し、従来技術における上記欠点を解消することを目的とする。
【課題を解決するための手段】
【０００５】
本発明の枕元眼鏡ケースは、方形箱主体と、吸盤と、円柱台とを含み、前記方形箱主体が前記吸盤の頂端に固定され、前記方形箱主体が矩形であり、前記円柱台が円柱形であり、前記吸盤が机の上に吸着でき、前記方形箱主体  の頂端と前記円柱台とが固定され、前記方形箱主体  の中には半円形チャンバが設置され、前記半円形チャンバの中には眼鏡を入れることができる貯蔵機構が設置され、前記円柱台の頂部端面には円形溝が設置され、前記円形溝の中には照明機構が設置され、前記円形溝の左右両側の前記円柱台の中には伝動チャンバが設置され、前記伝動チャンバの片側の前記円柱台の中にはいずれも動力チャンバが設置され、前記動力チャンバの中には前記照明機構を回転させることができる動力機構が設置され、前記貯蔵機構は前記半円形チャンバの中に回転できるように設置された収納ケースを含み、前記収納ケースの前側には開口があり、前記収納ケースの左右両側の端面にはいずれも反転軸が固定的に設置され、前記半円形チャンバの左側の前記方形箱主体の中には第一空きチャンバが設置され、左側の前記反転軸が前記第一空きチャンバの中に伸びており、且つ左側の前記反転軸の外周には捻りバネが固定的に設置され、前記捻りバネが前記第一空きチャンバの左側内壁と固定的に連結され、前記半円形チャンバの右側の前記方形箱主体  の中には第二空きチャンバが設置され、右側に位置している前記反転軸が前記第二空きチャンバの中に伸びており、且つ右側に位置している前記反転軸の外周には回転ブロックがスライドできるように連結され、前記回転ブロックには二組の凹溝が形成され、前記第二空きチャンバの底壁には矩形溝が設置され、前記矩形溝の中には棒状体がスライドできるように設置され、前記棒状体の底端と前記矩形溝の底壁との間にはバネが装着され、前記棒状体が前記凹溝の中に挿入されることができ、これにより前記回転ブロックが回転できなく、前記第二空きチャンバの右壁の中にはすべり軸受がスライドできるように設置され、前記すべり軸受の左端と前記回転ブロックとが固定され、前記すべり軸受の右端にはつまみが固定的に設置された。
【０００６】
更の技術プランとしては、前記収納ケースの内壁にはスポンジ層が固定的に設置され、前記収納ケースの中には固定ブロックが固定的に設置され、前記固定ブロックの頂部端面には長スライド溝が設置され、前記長スライド溝の中には長スライド板がスライドできるように設置され、前記長スライド板の片側端面には引っ張り力バネが固定的に設置され、前記長スライド板の頂端には挟持ブロックが固定的に設置され、前記挟持ブロックの底端と前記固定ブロックの頂端にはいずれも同じ短スライド溝が設置され、前記短スライド溝の中にはいずれもスライダがスライドできるように設置され、前記スライダのうち互いに近接している側の端面にはいずれもゴム板が固定的に設置され、前記ゴム板が眼鏡をきつく挟むことができ、前記スライダのもう一端と前記短スライド溝の片側内壁との間には小バネが装着された。
【０００７】
更の技術プランとしては、前記照明機構は前記円形溝の中に固定的に設置されたガラスランプシェードを含み、前記ガラスランプシェードの頂部が前記円形溝の外部に露出し、前記ガラスランプシェードの内壁には均一に分布している多色ガラスが固定的に設置され、前記多色ガラスが様々な色により構成され、前記円形溝の中にはランプベースが回転できるように設置され、前記ランプベースの頂端には二組の照明灯が固定的に設置され、前記照明灯が傾斜して設置され、前記ランプベースの外周には二組の支持ロッドが固定的に設置され、前記支持ロッドが前記伝動チャンバの中に伸びており、前記伝動チャンバの中にはリングラックが回転できるように設置され、前記リングラックの内壁が前記支持ロッドの一端と固定された。
【０００８】
更の技術プランとしては、前記動力機構は二組の前記動力チャンバの間に回転できるように設置された動力軸を含み、前記動力軸の片側末端がモータと固定的に連結され、前記モータが右側の前記動力チャンバの端壁の中に固定的に嵌められ、前記動力チャンバの中に位置している前記動力軸の外周にはいずれも動力プーリが固定的に設置され、前記伝動チャンバと前記動力チャンバとの間にはいずれも伝動軸が回転できるように設置され、前記伝動軸の片側末端には前記リングラックの底端と噛み合っているギヤが固定的に設置され、前記伝動軸のもう一端には前記動力チャンバの中に位置している従動プーリが固定的に設置され、前記従動プーリと前記動力プーリとの間はベルトにより連結された。
【発明の効果】
【０００９】
本発明の有益効果は：本発明の眼鏡ケースを枕元に置いて使用することができ、夜に使用する時、照明機構を開けて光度を増加することができ、しかも本発明の眼鏡ケースは眼鏡を収納でき、夜に眼鏡を探す時に眼鏡を落として壊すことを防止する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の枕元眼鏡ケースの内部全体構成模式図
【図２】図２は本発明の中の収納ケースの側面断面図
【図３】図３は本発明の中のつまみの部分拡大模式図
【図４】図４は本発明の図１の中のＡの部分拡大模式図
【発明を実施するための形態】
【００１２】
図１〜４を参照し、本発明の実施例の枕元眼鏡ケースは、方形箱主体１０と、吸盤１１と、円柱台２０とを含み、前記方形箱主体１０が前記吸盤１１の頂端に固定され、前記方形箱主体１０が矩形であり、前記円柱台２０が円柱形であり、前記吸盤１１が机の上に吸着でき、前記方形箱主体１０  の頂端と前記円柱台２０とが固定され、前記方形箱主体１０の中には半円形チャンバ１５が設置され、前記半円形チャンバ１５の中には眼鏡を入れることができる貯蔵機構７１が設置され、前記円柱台２０の頂部端面には円形溝２４が設置され、前記円形溝２４の中には照明機構７２が設置され、前記円形溝２４の左右両側の前記円柱台２０の中には伝動チャンバ４２が設置され、前記伝動チャンバ４２の片側の前記円柱台２０の中にはいずれも動力チャンバ４８が設置され、前記動力チャンバ４８の中には前記照明機構７２を回転させることができる動力機構７３が設置され、前記貯蔵機構７１は前記半円形チャンバ１５の中に回転できるように設置された収納ケース１６を含み、前記収納ケース１６の前側には開口があり、前記収納ケース１６の左右両側の端面にはいずれも反転軸１４が固定的に設置され、前記半円形チャンバ１５の左側の前記方形箱主体１０の中には第一空きチャンバ１２が設置され、左側の前記反転軸１４が前記第一空きチャンバ１２の中に伸びており、且つ左側の前記反転軸１４の外周には捻りバネ１３が固定的に設置され、前記捻りバネ１３が前記第一空きチャンバ１２の左側内壁と固定的に連結され、前記半円形チャンバ１５の右側の前記方形箱主体１０  の中には第二空きチャンバ１９が設置され、右側に位置している前記反転軸１４が前記第二空きチャンバ１９の中に伸びており、且つ右側に位置している前記反転軸１４の外周には回転ブロック３７がスライドできるように連結され、前記回転ブロック３７には二組の凹溝３８が形成され、前記第二空きチャンバ１９の底壁には矩形溝４１が設置され、前記矩形溝４１の中には棒状体３９がスライドできるように設置され、前記棒状体３９の底端と前記矩形溝４１の底壁との間にはバネ４０が装着され、前記棒状体３９が前記凹溝３８の中に挿入されることができ、これにより前記回転ブロック３７が回転できなく、前記第二空きチャンバ１９の右壁の中にはすべり軸受３６がスライドできるように設置され、前記すべり軸受３６の左端と前記回転ブロック３７とが固定され、前記すべり軸受３６の右端にはつまみ３５が固定的に設置され、前記つまみ３５を右方へ引き動かすことにより、前記すべり軸受３６が右方へスライドし、更に前記棒状体３９を前記凹溝３８から離脱させ、前記つまみ３５を回転させ、前記収納ケース１６を回転させ、これにより前記収納ケース１６の開口を前方又は後方に向かせることができる。
【００１３】
前記収納ケース１６の内壁にはスポンジ層２５が固定的に設置され、前記収納ケース１６の中には固定ブロック３０が固定的に設置され、前記固定ブロック３０の頂部端面には長スライド溝２８が設置され、前記長スライド溝２８の中には長スライド板２７がスライドできるように設置され、前記長スライド板２７の片側端面には引っ張り力バネ２９が固定的に設置され、前記長スライド板２７の頂端には挟持ブロック２６が固定的に設置され、前記挟持ブロック２６の底端と前記固定ブロック３０の頂端にはいずれも同じ短スライド溝３２が設置され、前記短スライド溝３２の中にはいずれもスライダ３１がスライドできるように設置され、前記スライダ３１のうち互いに近接している側の端面にはいずれもゴム板３４が固定的に設置され、前記ゴム板３４が眼鏡１７をきつく挟むことができ、前記スライダ３１のもう一端と前記短スライド溝３２の片側内壁との間には小バネ３３が装着され、前記眼鏡１７を二組の前記ゴム板３４の間に置き、前記引っ張り力バネ２９の引っ張り力の作用のもとで、前記ゴム板３４が前記眼鏡１７をきつく挟む。
【００１４】
前記照明機構７２は前記円形溝２４の中に固定的に設置されたガラスランプシェード２１を含み、前記ガラスランプシェード２１の頂部が前記円形溝２４の外部に露出し、前記ガラスランプシェード２１の内壁には均一に分布している多色ガラス２２が固定的に設置され、前記多色ガラス２２が様々な色により構成され、前記円形溝２４の中にはランプベース２３が回転できるように設置され、前記ランプベース２３の頂端には二組の照明灯５５が固定的に設置され、前記照明灯５５が傾斜して設置され、前記ランプベース２３の外周には二組の支持ロッド４４が固定的に設置され、前記支持ロッド４４が前記伝動チャンバ４２の中に伸びており、前記伝動チャンバ４２の中にはリングラック４３が回転できるように設置され、前記リングラック４３の内壁が前記支持ロッド４４の一端と固定され、前記リングラック４３の回転により、前記ランプベース２３を連動させて回転させ、更に前記照明灯５５を回転させ、これにより前記照明灯５５が発する光線が前記多色ガラス２２に射し、多色ガラス２２をキラキラさせる。
【００１５】
前記動力機構７３は二組の前記動力チャンバ４８の間に回転できるように設置された動力軸５２を含み、前記動力軸５２の片側末端がモータ５０と固定的に連結され、前記モータ５０が右側の前記動力チャンバ４８の端壁の中に固定的に嵌められ、前記動力チャンバ４８の中に位置している前記動力軸５２の外周にはいずれも動力プーリ５１が固定的に設置され、前記伝動チャンバ４２と前記動力チャンバ４８との間にはいずれも伝動軸４６が回転できるように設置され、前記伝動軸４６の片側末端には前記リングラック４３の底端と噛み合っているギヤ４５が固定的に設置され、前記伝動軸４６のもう一端には前記動力チャンバ４８の中に位置している従動プーリ４７が固定的に設置され、前記従動プーリ４７と前記動力プーリ５１との間はベルト４９により連結され、前記モータ５０を制御して作動させることにより、更にこれにより前記動力軸５２が前記動力プーリ５１を連動させて回転させ、前記伝動軸４６を回転させ、これにより前記リングラック４３が前記照明機構７２を連動させて回転させる。
【００１６】
使用する時、手でつまみ３５を右方へ引き動かし、すべり軸受３６を右方へスライドさせ、更に棒状体３９を凹溝３８から離脱させ、つまみ３５を回転させ、収納ケース１６を回転させ、これにより収納ケース１６の開口を前方に向かせることができ、そしてつまみ３５を推して戻し、棒状体３９をもう一つの凹溝３８の中に挿入し、更に回転ブロック３７を戻れないようにし、手で挟持ブロック２６を上方へ推し動かし、眼鏡１７を二組のゴム板３４の間に置き、引っ張り力バネ２９の引っ張り力の作用のもとで、ゴム板３４が眼鏡１７をきつく挟み、そしてつまみ３５を引き出し、凹溝３８を棒状体３９から離脱させ、更に収納ケース１６を捻りバネ１３の作用のもとで回転させ、これにより収納ケース１６の開口が初期状態の時の後方に向く状態に戻り、夜に使用する時、ベッドライト又は装飾用のライトとして使われることができ、モータ５０を制御して作動させることにより、更にこれにより動力軸５２が動力プーリ５１を連動させて回転させ、伝動軸４６を回転させ、これによりリングラック４３が照明灯５５を連動させて回転させ、これにより照明灯５５が発する光がガラスランプシェード２１を通り抜けて射し、照明作用を果たす。
【００１７】
本発明の有益効果は：本発明の眼鏡ケースを枕元に置いて使用することができ、夜に使用する時、照明機構を開けて光度を増加することができ、しかも本発明の眼鏡ケースは眼鏡を収納でき、夜に眼鏡を探す時に眼鏡を落として壊すことを防止する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。